(57)【要約】【課題】コイル素子あるいは容量素子が相互に影響し合わないようにし、減衰特性が良い積層型電子部品を得ることを目的とする。【解決手段】複数の絶縁基板を積層してなる積層体を形成する積層型電子部品であって、第１のコイル素子Ｌ１を形成する電極パターン１０５と、前記電極パターン１０５と分離配置され、前記電極パターン１０５の一端が接続される一端を有する第２のコイル素子Ｌ２を形成する電極パターン１０６とが形成される絶縁基板Ｍ６と、前記電極パターン１０５の前記一端と前記電極パターン１０６の前記一端とを接続するための電極パターン１１３が形成される第２の絶縁基板Ｍ５を備える。【選択図】図２
2007250941.tif 000002
【特許請求の範囲】
【請求項１】
複数の絶縁基板を積層してなる積層体を形成する積層型電子部品であって、
第１のコイル素子の少なくとも一部を形成する電極パターンと、
前記第１のコイル素子を形成する電極パターンと分離配置され、前記第１のコイル素子を形成する電極パターンの一端が接続される一端を有する第２のコイル素子の少なくとも一部を形成する電極パターンと、
が形成される絶縁基板を備える、積層型電子部品。
【請求項２】
請求項１に記載の積層型電子部品においてさらに、
前記第１のコイル素子を形成する電極パターンの前記一端と前記第２のコイル素子を形成する電極パターンの前記一端とを接続するための電極パターンが形成される第２の絶縁基板を備える、積層型電子部品。
【請求項３】
請求項１または請求項２のいずれかに記載された積層型電子部品においてさらに、
第１の容量素子を形成する第１の電極パターン部分と、第２の容量素子を形成する第２の電極パターン部分と、前記第１の電極パターン部分と前記第２の電極パターン部分を分離する切り欠き部分とを有する電極パターンが形成される第３の絶縁基板を備える、積層型電子部品。
【請求項４】
請求項３に記載に積層型電子部品において、
前記第１のコイル素子の前記一端は前記第１の容量素子を形成する第１の電極パターン部分に接続され、前記第２のコイル素子の前記一端は前記第２の容量素子を形成する第２の電極パターン部分に接続されている、積層型電子部品。
【請求項５】
請求項３または請求項４のいずれかに記載の積層型電子部品においてさらに、
前記第３の絶縁基板上の電極パターンと接続される、切り欠き部により２つの部分に分離される電極パターンが形成される第４の絶縁基板と、
前記第４の絶縁基板上の電極パターンとで第３の容量素子を形成する電極パターンが形成される第５の絶縁基板と、
を備える、積層型電子部品。
【請求項６】
請求項５に記載の積層型電子部品において、
前記第５の絶縁基板上に形成された電極パターンの電位は、グランド電位である、積層型電子部品。
【請求項７】
請求項１から請求項６のいずれか一項に記載に積層型電子部品においてさらに、
前記第１のコイル素子の他端は入力端子に接続され、前記第２のコイル素子の他端は出力端子に接続される、積層型電子部品。
【請求項８】
複数の絶縁基板を積層してなる積層体を形成する積層型電子部品であって、
第１の容量素子を形成する第１の電極パターン部分と、
第２の容量素子を形成する第２の電極パターン部分と、前記第１の電極パターン部分と第２の電極パターン部分を分離する切り欠き部分とを有する電極パターンが形成される絶縁基板を備える、積層型電子部品。
【請求項９】
請求項８に記載の積層型電子部品においてさらに、
前記第１の容量素子を形成する第１の電極パターン部分の対向電極は、入力端子に接続され、
前記第２の容量素子を形成する第２の電極パターン部分の対向電極は、出力端子に接続される、積層型電子部品。
【請求項１０】
請求項１から請求項９のいずれか一項に記載の積層型電子部品において、
積層型電子部品は、フィルタ回路を構成する、積層型電子部品。
【請求項１１】
請求項１から請求項１０のいずれか一項に記載の積層型電子部品において、
積層型電子部品は、ノッチフィルタ回路を構成する、積層型電子部品。
【発明の詳細な説明】
【技術分野】
【０００１】
本発明は、積層型電子部品に関し、特に高周波で使用される積層型電子部品に関する。
【背景技術】
【０００２】
従来のローパスフィルタ回路は、第１のコイル素子Ｌ１と第１の容量素子Ｃ１とからなる第１の共振回路部分と、第２のコイル素子Ｌ２と第２の容量素子Ｃ２とからなる第２の共振回路部分とから構成され、第１のコイル素子Ｌ１のインダクタンスの値と第１の容量素子Ｃ１の容量の値から決まる周波数において第１の減衰極を発生させ、第２のコイル素子Ｌ２のインダクタンスの値と第２の容量素子Ｃ２の容量の値から決まる周波数において第２の減衰極を発生させ、かかる周波数帯の信号を遮断して、それよりも低周波数の信号を通過させている（特許文献１）。  
【０００３】
【特許文献１】特開平１１−２２０３１２号公報
【発明の開示】
【発明が解決しようとする課題】
【０００４】
従来のローパスフィルタ回路では、例えば、第１のコイル素子Ｌ１のインダクタンスの値を変えて第１の減衰極の発生周波数を変えようとすると、第２の減衰極の発生周波数も変わってしまうという問題があった。
【０００５】
また、ローパスフィルタの第１のコイル素子Ｌ１と第２のコイル素子Ｌ２のインダクタンスの値を同じにし、第１の容量素子Ｃ１と第２の容量素子Ｃ２の容量の値を同じにし、第３の容量素子Ｃ３と第４の容量素子Ｃ５の容量の値を同じにすると、回路は対称形となる。すなわち、ローパスフィルタの第１の減衰極と第２の減衰極の発生周波数は同じとなり、ローパスフィルタは、いわゆるノッチフィルタとして機能し、特定の周波数の減衰特性を良くすることができる。しかし、実際には、第１のコイル素子Ｌ１と第２のコイル素子Ｌ２あるいは第１の容量素子Ｃ１と第２の容量素子Ｃ２が相互に影響し合い、第１減衰極と第２の減衰極の発生周波数は同一にはならず、特定の周波数の減衰特性を良くすることができなかった。
【０００６】
本発明の目的は、上記課題を解決し、コイル素子あるいは容量素子が相互に影響し合わないようにし、減衰特性が良い積層型電子部品を得ることを目的とする。
【課題を解決するための手段】
【０００７】
上記課題を解決するために、本発明に係る積層型電子部品は、複数の絶縁基板を積層してなる積層体を形成する積層型電子部品であって、第１のコイル素子の少なくとも一部を形成する電極パターンと、前記第１のコイル素子を形成する電極パターンと分離配置され、前記第１のコイル素子を形成する電極パターンの一端が接続される一端を有する第２のコイル素子の少なくとも一部を形成する電極パターンとが形成される絶縁基板を備える。
【０００８】
本発明によれば、第１のコイル素子を形成する電極パターンと第２のコイル素子を形成する電極パターンとを分離配置することにより、第１のコイル素子と第２のコイル素子の間の相互作用を抑制でき、積層型電子部品の電気特性を良くすることができる。
【０００９】
本発明に係る積層型電子部品はさらに、前記第１のコイル素子を形成する電極パターンの前記一端と前記第２のコイル素子を形成する電極パターンの前記一端とを接続するための電極パターンが形成される第２の絶縁基板を備える。本発明によれば、第１のコイル素子と第２のコイル素子とを分離配置でき、その結果、第１のコイル素子と第２のコイル素子の間の相互作用を抑制でき、積層型電子部品の電気特性を良くすることができる。
【００１０】
本発明に係る積層型電子部品はさらに、第１の容量素子を形成する第１の電極パターン部分と、第２の容量素子を形成する第２の電極パターン部分と、前記第１の電極パターン部分と前記第２の電極パターン部分を分離する切り欠き部分とを有する電極パターンが形成される第３の絶縁基板を備える。本発明によれば、第１のコイル素子を形成する電極パターンと第２のコイル素子を形成する電極パターンを分離配置することに加えて、第１の容量素子を形成する電極パターンと第２の容量素子を形成する電極パターンも分離するので、第１のコイル素子と第２のコイル素子の間の相互作用を抑制できることに加え、第１の容量素子と第２の容量素子の相互作用も抑制でき、積層型電子部品の電気特性をさらに良くすることができる。
【００１１】
本発明に係る積層型電子部品は、前記第１のコイル素子の前記一端は前記第１の容量素子を形成する第１の電極パターン部分に接続され、前記第２のコイル素子の前記一端は前記第２の容量素子を形成する第２の電極パターン部分に接続されている。本発明によれば、第１のコイル素子と第１の容量素子からなる第１の共振回路の部分と、第２のコイル素子と第２の容量素子からなる第２の共振回路の部分とに分離配置できる。その結果、第１の共振回路と第２の共振回路の間の相互作用を抑制でき、積層型電子部品の電気特性を良くすることができる。
【００１２】
本発明に係る積層型電子部品はさらに、前記第３の絶縁基板上の電極パターンと接続される、切り欠き部により２つの部分に分離される電極パターンが形成される第４の絶縁基板と、前記第４の絶縁基板上の電極とで第３の容量素子を形成する電極パターンが形成される第５の絶縁基板とを備える。本発明によれば、第４の絶縁基板上の電極パターンに接続される第３の容量素子を切り欠き部により２つに分離することにより、第１の共振回路と第２の共振回路の間の相互作用を抑制でき、積層型電子部品の電気特性を良くすることができる。
【００１３】
本発明に係る積層型電子部品において、第５の絶縁基板上に形成された電極パターンの電位はグランド電位である。第３の容量素子の一端をグランド電位とすることで、安定した動作が可能となる。
【００１４】
本発明に係る積層型電子部品はさらに、前記第１のコイル素子の他端は入力端子に接続され、前記第２のコイル素子の他端は出力端子に接続される。回路の一部としてだけでなく、入力端子、出力端子を備えることで、例えばフィルタ素子を構成する積層型電子部品を得ることができる。
【００１５】
本発明に係る積層型電子部品は、複数の絶縁基板を積層してなる積層体を形成するの積層型電子部品であって、第１の容量素子を形成する第１の電極パターン部分と、第２の容量素子を形成する第２の電極パターン部分と、前記第１の電極パターン部分と前記第２の電極パターン部分を分離する切り欠き部分とを有する電極パターンが形成される絶縁基板を備える。本発明によれば、第１の容量素子を形成する電極パターン部分と第２の容量素子形成する電極パターン部分とを分離することにより、第１の容量素子と第２の容量素子間の相互作用を抑制でき、積層型電子部品の電気特性を良くすることができる。
【００１６】
本発明に係る積層型電子部品は、さらに、前記第１の容量素子を形成する第１の電極パターン部分の対向電極は、入力端子に接続され、前記第２の容量素子を形成する第２の電極パターン部分の対向電極は、出力端子に接続される。回路の一部としてだけでなく、入力端子、出力端子を備えることで、例えばフィルタ素子を構成する積層型電子部品を得ることができる。
【００１７】
本発明に係る積層型電子部品は、フィルタ回路を構成する。本発明は、例えば、フィルタ回路に適用ができる。
【００１８】
本発明に係る積層型電子部品は、ノッチフィルタ回路を構成する。本発明は、コイル素子間、容量素子間の相互作用を抑制できるため、特にノッチフィルタ回路に適用すると、減衰極が１つになり、電気特性を良くすることができる。
【発明を実施するための最良の形態】
【００１９】
以下、本発明の実施の形態を実施例に基づいて以下の順序で説明する。
Ａ．第１の実施例に係るノッチフィルタ１００：
Ｂ．第２の実施例に係るノッチフィルタ２００：
Ｃ．第３の実施例に係るローパスフィルタ３００：
Ｄ．変形例：
【００２０】
Ａ．第１の実施例に係るノッチフィルタ１００：
図１から図３を参照して、第１の実施例に係るノッチフィルタ１００について説明する。図１は、第１の実施例に係るノッチフィルタ１００の外観を模式的に示す説明図である。図２は、第１の実施例に係るノッチフィルタ１００を構成する絶縁基板を展開して示す斜視図である。図３は、第１の実施例に係るノッチフィルタ１００の等価回路を示す説明図である。
【００２１】
ノッチフィルタ１００は、複数の絶縁基板Ｍ１からＭ８までの８枚の絶縁基板が重なって積層体を構成している積層型電子部品である。積層体の側面には、絶縁基板Ｍ１から絶縁基板Ｍ８にまでわたる凹部が８つ形成され、凹部には側面電極１００ａから１００ｈが形成されている。なお、図２に示す斜視図では、凹部は省略してある。
【００２２】
側面電極１００ｈは、図３の等価回路の入力端子１０１（ＩＮ）に相当し、側面電極１００ｄは出力端子１０２（ＯＵＴ）に相当する。残りの側面電極１００ａから１００ｃ及び１００ｅから１００ｇは、外部基板のグランドに接続されるグランド電極である。
【００２３】
絶縁基板Ｍ８は蓋であり、電極パターンは形成されていない。絶縁基板Ｍ７から絶縁基板Ｍ１には、各種電極パターンが形成され、これらの電極パターンにより、図３の等価回路に示すコイル素子、容量素子及びグランド電極が形成されている。
【００２４】
以下、第１の実施例に係るノッチフィルタ１００における特徴的な構成要素である絶縁基板Ｍ７からＭ１について詳細に説明する。
【００２５】
絶縁基板Ｍ７には、第１の電極パターン１０３と第２の電極パターン１０４とが形成され、絶縁基板Ｍ６には、第３の電極パターン１０５と第４の電極パターン１０６とが形成されている。
【００２６】
第１の電極パターン１０３の一端は、側面電極１００ｈに接続され、他端には、ビアホール１０７が形成され、スルーホール配線１０８により第３の電極パターン１０５の一端に接続されている。第２の電極パターン１０４の一端は、側面電極１００ｄに接続され、他端には、ビアホール１０９が形成され、スルーホール配線１１０により第４の電極パターン１０６の一端に接続されている。
【００２７】
第３の電極パターン１０５の２つの端部のうちスルーホール配線１０８が接続される端部と反対側の端部には、ビアホール１１１が形成され、第４の電極パターン１０６の２つの端部のうちスルーホール配線１１０が接続される端部と反対側の端部には、ビアホール１１２が形成されている。
【００２８】
第１の電極パターン１０３と第３の電極パターン１０５とで、図３の等価回路に示すコイル素子Ｌ１を形成し、第２の電極パターン１０４と第４の電極パターン１０６とで、図３の等価回路に示すコイル素子Ｌ２を形成している。なお、第１の実施例では、コイル素子Ｌ１とＬ２のインダクタンスの値は同じ値である。
【００２９】
絶縁基板Ｍ５には、第５の電極パターン１１３が形成され、絶縁基板Ｍ４には、第６の電極パターン１１４と第７の電極パターン１１５が形成され、絶縁基板Ｍ３には、第８の電極パターン１１６が形成されている。第５の電極パターン１１３と第８の電極パターン１１６には中央に切り欠き部１１９が形成され、それぞれ、電極パターン１１３ａと電極パターン１１３ｂ及び電極パターン１１６ａと電極パターン１１６ｂの２つの部分に分かれている。
【００３０】
第５の電極パターン１１３のうち電極パターン１１３ａは、ビアホール１１１を通るスルーホール配線１１７により第３の電極パターン１０５と接続され、電極パターン１１３ｂはビアホール１１２を通るスルーホール配線１１８により第４の電極パターン１０６と接続されている。絶縁基板Ｍ３からＭ５の中央には、それぞれビアホール１２０、１２１、１２２が形成されている。第６の電極パターン１１４は、側面電極１００ｈに接続され、第７の電極パターン１１５は、側面電極１００ｄに接続されている。
【００３１】
電極パターン１１３ａと第６の電極パターン１１４とが重なる部分及び第６の電極パターン１１４と電極パターン１１６ａとが重なる部分で、図３の等価回路に示す容量素子Ｃ１が形成されている。電極パターン１１３ｂと第７の電極パターン１１５とが重なる部分及び第７の電極パターン１１５と電極パターン１１６ｂとが重なる部分で、図３の等価回路に示す容量素子Ｃ２が形成されている。なお、第１の実施例では、容量素子Ｃ１とＣ２の容量は同じ値である。
【００３２】
絶縁基板Ｍ２には、第９の電極パターン１２３が形成され、絶縁基板Ｍ１には、第１０の電極パターン１２４が形成されている。第９の電極パターン１２３には、中央部に切り欠き部１２５が形成され、第９の電極パターン１２３は、電極パターン１２３ａと１２３ｂの２つの部分に分かれている。また、第９の電極パターン１２３は、ビアホール１２０、１２１、１２２を通るスルーホール配線１２６により、第５の電極１１３と第８の電極１１６とに接続されている。
【００３３】
第９の電極パターン１２３の２つに分かれた電極パターン１２３ａと１２３ｂと第１０の電極パターン１２４とが重なる部分で、それぞれ図３に示す等価回路の容量素子Ｃ４ａ及びＣ４ｂが形成されている。なお、第１の実施例では、Ｃ４ａの容量とＣ４ｂの容量は同じである。
【００３４】
また、第１の実施例においては、絶縁基板Ｍ１からＭ７は、電極パターンを含めて左右対称となっている。
【００３５】
図２及び図４を参照して、第１の実施例に係るノッチフィルタ１００と従来のノッチフィルタ６００の構造の違いを比較する。図４は、従来のノッチフィルタを構成する絶縁基板を展開して示す斜視図である。以下、第１の実施例に係るノッチフィルタ１００と従来のノッチフィルタ６００の異なる点を説明する。
【００３６】
従来のノッチフィルタ６００には、積層体の側面に８つの側面電極６００ａから６００ｈが形成されている。第１の実施例に係る絶縁基板Ｍ６を、従来の絶縁基板Ｎ６と比較すると、従来のノッチフィルタ６００では第３の電極パターン６０５と第４の電極パターン６０６とが絶縁基板Ｎ６上で接続されているが、第１の実施例に係るノッチフィルタ１００では第３の電極パターン１０５と第４の電極パターン１０６とが、絶縁基板Ｍ６上で接続されてない点が異なる。
【００３７】
第１の実施例に係る絶縁基板Ｍ５を、従来の絶縁基板Ｎ５と比較すると、従来のノッチフィルタ６００の第５の電極パターン６１３は、長方形の形状であり、切り欠き部６１９は形成されていないが、第１の実施例に係るノッチフィルタ１００の第５の電極パターン１１３は、中央部分に、２つの切り欠き部１１９が形成され、第５の電極パターン１１３の形状は、切り欠き部１１９により電極パターン１１３ａと１１３ｂの２つの部分に分かれた形状になっている。なお、絶縁基板Ｍ３と絶縁基板Ｎ３は、絶縁基板Ｍ５と絶縁基板Ｎ５と電極パターンの形状が同じなので、説明を省略する。
【００３８】
第１の実施例に係る絶縁基板Ｍ２を、従来の絶縁基板Ｎ２と比較すると、従来のノッチフィルタ６００では、第９の電極パターン６２３は、長方形の形状であり、切り欠き部６２５は形成されていないが、第１の実施例に係るノッチフィルタ１００の第９の電極パターン１２３は、中央部分に、２つの切り欠き部１２５が形成され、第９の電極パターン１２３の形状は、切り欠き部１２５により電極パターン１２３ａと１２３ｂの２つの部分に分かれた形状になっている。
【００３９】
図５及び図６を参照して、第１の実施例に係るノッチフィルタ１００と従来のノッチフィルタ６００の電気特性（減衰特性）を比較する。図５は、第１の実施例に係るノッチフィルタ１００の電気特性を示すグラフである。図６は、従来のノッチフィルタ６００の電気特性を示すグラフである。図５及び図６において、横軸は周波数、縦軸は減衰量である。
【００４０】
第１の実施例に係るノッチフィルタ１００の電気特性を従来のノッチフィルタ６００の電気特性と比較すると、従来のノッチフィルタ６００では、１．８ＧＨｚ付近と２．３ＧＨｚ付近に分かれて２つの小さな減衰極が発生していたが、第１の実施例に係るノッチフィルタ１００では、２．５ＧＨｚ付近の１つの大きな減衰極に変わっている。
【００４１】
以下、図２、図４も参照して、ノッチフィルタの構造の違いと電気特性の関係について説明する。従来のノッチフィルタ６００では、第３の電極パターン６０５と第４の電極パターン６０６とが絶縁基板Ｎ６上で接続されているため、見かけ上、絶縁基板Ｎ６上でコイル素子Ｌ１とＬ２が直列接続され、１つのコイル素子Ｌｘを形成している。すなわち、コイル素子Ｌ１、Ｌ２はコイル素子Ｌ１、Ｌ２としてだけでなく、２つのコイル素子が結合したコイル素子Ｌｘとしても作用するため、小さな２つの減衰極が発生し、良い電気特性が得られなかった。これに対し、第１の実施例に係るノッチフィルタ１００では、絶縁基板Ｍ６上でコイル素子Ｌ１を形成する電極パターン１０５とＬ２を形成する電極パターン１０６とを分離配置しているので、コイル素子Ｌｘとして作用しなくなり、１つの大きな減衰極となり、良い電気特性が得られる。
【００４２】
また、従来のノッチフィルタ６００では、第５の電極パターン６１３は、容量素子Ｃ１の一方の電極であるとともに、容量素子Ｃ２の一方の電極でもあるため、容量素子Ｃ１と容量素子Ｃ２との間で相互作用を起こし、電気特性に影響を与えることがあったが、第１の実施例に係るノッチフィルタ１００では、第５の電極パターン１１３に切り欠き部１１９を設けることにより、容量素子Ｃ１を形成する電極パターン１１３ａと容量素子Ｃ２を形成する電極パターン１１３ｂとに分離しているため、容量素子Ｃ１と容量素子Ｃ２の間の相互作用が抑制され、良い電気特性が得られる。
【００４３】
また、第１の実施例では、コイル素子Ｌ１とＬ２とを分離配置し、容量素子Ｃ１とＣ２とを切り欠き部１１９により分離し、コイル素子Ｌ１と容量素子Ｃ１とからなる第１の共振回路部分とコイル素子Ｌ２と容量素子Ｃ２とからなる第２の共振回路部分と分離する構成をとっているほか、第９の電極パターン１２３についても切り欠き部１２５により電極パターン１２３ａと１２３ｂの２つの部分に分離している。その結果、第３の容量素子はＣ４は、図３の等価回路に示すように、Ｃ４ａとＣ４ｂの２つの容量素子に分離している。この構成により、容量素子Ｃ４ａに基づく寄生容量は第２の共振回路部分に影響を与えず、容量素子Ｃ４ｂに基づく寄生容量は第１の共振回路部分に影響を与えないため、良い電気特性が得られる。
【００４４】
以上説明したように、第１の実施例によれば、絶縁基板Ｍ６上のコイル素子Ｌ１を形成する電極パターン１０５とコイル素子Ｌ２を形成する電極パターン１０６とを分離して配置しているため、コイル素子Ｌ１とコイル素子Ｌ２との間の相互作用を抑制でき、また、１つのコイル素子としても働かないので、良い電気特性が得られる。
【００４５】
第１のコイル素子Ｌ１を形成する電極パターン１０５と第２のコイル素子Ｌ２を形成する電極パターン１０６とは、絶縁基板Ｍ５上の第５の電極パターン１０９を介して接続されているため、コイル素子Ｌ１とコイル素子Ｌ２とを確実に分離配置でき、コイル素子Ｌ１とコイル素子Ｌ２との間の相互作用を抑制でき、１つのコイル素子としても働かないので、良い電気特性が得られる。
【００４６】
第１の実施例においては、第５の電極パターン１１３を、切り欠き部１１９を形成して、容量素子Ｃ１の電極として働く電極パターン１１３ａ部分と容量素子Ｃ２の電極として働く電極パターン１１３ｂ部分とに分けているので、容量素子Ｃ１と容量素子Ｃ２との間の相互作用を抑制し、電気特性を良くすることができる。
【００４７】
第１の実施例においては、コイル素子Ｌ１、Ｌ２の相互作用と、容量素子Ｃ１とＣ２の相互作用の両方を抑制しているため、電気特性がさらに向上することができる。
【００４８】
第１の実施例においては、容量素子Ｃ１を構成する電極にコイル素子Ｌ１の一端を接続し、容量素子Ｃ２を構成する電極にコイル素子Ｌ２の一端を接続することにより、コイル素子Ｌ１と容量素子Ｃ１とからなる第１の共振回路部分と、コイル素子Ｌ２と容量素子Ｃ２とからなる第２の共振回路部分に分けている。その結果、第１の共振回路部分と第２の共振回路部分の相互作用を抑制でき、電気特性を良くすることができる。
【００４９】
第１の実施例においては、絶縁基板Ｍ２上で、第９の電極パターン１２３は、切り欠き部１２５により電極パターン１２３ａと１２３ｂとに分かれ、容量素子Ｃ４は、図３の等価回路に示すようにＣ４ａとＣ４ｂの２つの容量素子に分かれて形成されている。この構成により、容量素子Ｃ４ａは第２の共振回路部分に影響を与えず、容量素子Ｃ４ｂは第１の共振回路部分に影響を与えないため、良い電気特性が得られる。
【００５０】
第１の実施例に係るノッチフィルタ１００では、絶縁基板は、電極パターンを含めて左右対称形になっている。その結果、寄生容量、寄生インダクタも左右対称に発生しているので、回路は、寄生容量、寄生インダクタを考慮しても完全に対称形となり、ノッチフィルタとしてさらに良い電気特性が得られる。
【００５１】
Ｂ．第２の実施例に係るノッチフィルタ２００：
図７を用いて第２の実施例に係るノッチフィルタ２００について説明する。図７は、第２の実施例に係るノッチフィルタ２００を構成する絶縁基板を展開して示す斜視図である。第２の実施例に係るノッチフィルタ２００の絶縁基板Ｐ１からＰ８の構成は、第１の実施例に係るノッチフィルタ１００を構成する絶縁基板Ｍ１からＭ８とほぼ同じであるので、異なる点のみを説明する。なお、図に現れている構成のうち、第１の実施例と同じ機能のものについては同じ符号を付して説明を省略する。
【００５２】
第２の実施例に係るノッチフィルタ２００には、積層体の側面に８つの側面電極２００ａから２００ｈが形成されている。第２の実施例に係るノッチフィルタ２００の絶縁基板Ｐ５、Ｐ３は、第１の実施例に係るノッチフィルタ１００の絶縁基板Ｍ５、Ｍ３と以下の点が異なっている。絶縁基板Ｐ５の第５の電極パターン２１３及び絶縁基板Ｐ３の第８の電極パターン２１６には切り欠き部２１９が形成されておらず、容量素子Ｃ１を形成する電極パターンとＣ２を形成する電極パターンとが分離されていない。また、第２の実施例に係るノッチフィルタ２００の絶縁基板Ｐ２を第１の実施例に係るノッチフィルタ１００の絶縁基板Ｍ２と比較すると、絶縁基板Ｐ２の第９の電極パターン２２３に切り欠き部２２５が形成されておらず、２つの共振回路の間にある第３の容量素子を形成する第９の電極パターン２２３が２つに分かれていない。
【００５３】
すなわち、第２の実施例に係るノッチフィルタ２００は、従来のノッチフィルタ６００と比較すると、コイル素子Ｌ１を形成する電極パターン２０５とコイル素子Ｌ２を構成する電極パターン２０６とが、絶縁基板Ｐ６上で接続されず、分離配置されている構成である。
【００５４】
図５と図６と図８を参照して、第２の実施例に係るノッチフィルタ２００の電気特性について説明する。図８は、第２の実施例に係るノッチフィルタ２００の電気特性を示すグラフである。ここで、横軸は周波数、縦軸は減衰量である。
【００５５】
第２のノッチフィルタ２００の電気特性を図６に示す従来のノッチフィルタ６００の電気特性と比較すると、減衰極は、１．８ＧＨｚ付近と２．３ＧＨｚ付近に２つに分かれていたものが、２．４５ＧＨｚと２．５５ＧＨｚ付近の２つになっている。コイル素子Ｌ１を形成する電極パターン２０５とＬ２を形成する電極パターン２０６とを分離配置することにより、２つのコイル素子Ｌ１とＬ２の相互作用が抑制される。その結果、第２のノッチフィルタ２００の２つの減衰極が発生する周波数が近づき、電気特性が良くなる。
【００５６】
以上のことから、２つのコイル素子Ｌ１を形成する電極パターン２０５とＬ２を形成する電極パターン２０６を分離配置すれば、コイル素子Ｌ１とコイル素子Ｌ２との相互作用を抑制でき、電気特性を良くすることができる。
【００５７】
図２及ぶ図７を参照して、第１の実施例に係るノッチフィルタ１００と第２の実施例に係るノッチフィルタ２００の構成の違いを比較すると、第２の実施例に係るノッチフィルタ２００に、さらに、容量素子Ｃ１とＣ２を形成する電極パターン２１３及び２１６の間に切り欠き部２１９を形成して分離し、容量素子Ｃ４を形成する電極パターン２２３に切り欠き部２１９を形成して分離すれば、第１の実施例に係るノッチフィルタ１００と同じになる。
【００５８】
一方、図５に示す第１の実施例に係るノッチフィルタ１００の電気特性と図８に示す第２の実施例に係るノッチフィルタ２００の電気特性とを比較すれば、第１の実施例に係るノッチフィルタ１００では減衰極は１つとなっているのに対し、第２の実施例に係るノッチフィルタ２００では、わずかに２つに分かれている。
【００５９】
このことは、第２のノッチフィルタ２００を基準とすれば、容量素子Ｃ１とＣ２を形成する第５の電極パターン２１３及び第８の電極パターン２１６に切り欠き部２１９を形成して、それぞれ、電極パターン２１３ａと２１３ｂ及び２１６ａと２１６ｂに分離し、容量素子Ｃ４を形成する電極パターン２２３に切り欠き部２２５を形成して電極パターン２２３ａと２２３ｂの２つに分離することによっても、電気特性を良くすることができることを意味する。
【００６０】
Ｃ．第３の実施例に係るローパスフィルタ３００
図９、図１０を参照して、第３の実施例に係るローパスフィルタ３００について説明する。図９は、第３の実施例に係るローパスフィルタ３００を構成する絶縁基板を展開して示す斜視図である。図１０は、第３の実施例に係るローパスフィルタ３００の等価回路を示す説明図である。第３の実施例に係るローパスフィルタ３００の各絶縁基板Ｑ１からＱ８の構成は、第１の実施例に係るノッチフィルタ１００を構成する絶縁基板Ｍ１からＭ８とほぼ同じであるので、異なる点のみを説明する。なお、図に現れている構成のうち、第１の実施例と同じ機能のものについては同じ符号を付して説明を省略する。
【００６１】
第３の実施例に係るローパスフィルタ３００には、積層体の側面に８つの側面電極３００ａから３００ｈが形成されている。第３の実施例に係るローパスフィルタ３００の絶縁基板Ｑ２には、第９の電極パターン１２３に加えて、第１１の電極パターン３３０と第１２の電極パターン３３１とが形成されている。
【００６２】
第１１の電極パターン３３０と第１０の電極パターン１２４とが重なる部分で、図１０の等価回路に示す容量素子Ｃ３が形成され、第１２の電極パターン３３１と第１０の電極パターン１２４とが重なる部分で、図１０の等価回路に示す容量素子Ｃ５が形成されている。
【００６３】
図１１を参照して、第３の実施例に係るローパスフィルタ３００の電気特性について説明する。図１１は、第３の実施例に係るローパスフィルタ３００の電気特性を示すグラフである。ここで、横軸は周波数、縦軸は減衰量である。曲線Ａがコイル素子Ｌ２のインダクタンスの値を変える前の第３の実施例に係るローパスフィルタ３００の電気特性を示し、曲線Ｂがコイル素子Ｌ２のインダクタンスの値を変更した後のローパスフィルタ３００の電気特性を示している。
【００６４】
コイル素子Ｌ２のインダクタンスを変更する前後で第の１減衰極の発生周波数は、約１．８ＧＨｚで変わっていないが、第２の減衰極の発生周波数は、約２．２ＧＨｚから約２．３ＧＨｚに変わっている。すなわち、第３の実施例に係るローパスフィルタ３００によれば、コイル素子Ｌ２のインダクタンスの値を変更する場合、第１の減衰極の発生周波数に影響を与えることなく、第２の減衰極の発生周波数のみを変えることができる。
【００６５】
第３の実施例によれば、コイル素子Ｌ１を形成する電極パターンとコイル素子Ｌ２を形成する電極パターンを分離配置することにより、コイル素子Ｌ２とＬ２の間の相互作用を低減又は排除することができるまた、第１の実施例、第２の実施例の結果によれば、容量素子Ｃ１を形成する電極パターンと容量素子Ｃ２を形成する電極パターンを切り欠き部により分離すれば、容量素子Ｃ１とＣ２の間の相互作用も低減または排除できる。したがって、コイル素子Ｌ２のインダクタンスの変更だけでなく、例えば、容量素子Ｃ２の容量の値を変えることによっても、第１の減衰極の発生周波数に影響を与えることなく、第２の減衰極の発生周波数を変えることができる。ＬＣ共振回路では、共振周波数は、コイル素子のインダクタンスの値と容量素子の容量の値の積の平方根に反比例することから、コイル素子Ｌ２のインダクタンスの値を変更しても第１の共振回路の共振周波数に影響がなければ、容量素子Ｃ２の容量の値を変更しても第１の共振回路の共振周波数に影響がないといえる。
【００６６】
なお、第３の実施例においては、コイル素子Ｌ２１とＬ２のインダクタンスの値、容量素子Ｃ１とＣ２の容量の値、容量素子Ｃ３とＣ５の容量の値は同じでなくても良い。ローパスフィルタにおいては、２つの周波数域で減衰極を発生させる必要がある場合もあるからである。
【００６７】
Ｄ．変形例：
（１）変形例１：第１の実施例あるいは第２の実施例に係るノッチフィルタ１００では、絶縁基板は左右対称形であったが、絶縁基板の中心を上下に通る線に対して１８０度の回転対称形であってもよい。１８０度の回転対称であっても、寄生容量、寄生インダクタを含めて回路は対称形になるので、電気特性が良くなる。
【００６８】
（２）変形例２：第３の実施例においては、コイル素子Ｌ１とＬ２のインダクタンスの値、容量素子Ｃ１とＣ２の容量の値、容量素子Ｃ３とＣ５の容量の値を同じにして、１つの周波数でのみ減衰極を発生させるようにしても良い。その場合には、各絶縁基板Ｑ１からＱ７は対称形とするのが望ましい。寄生インダクタンス、寄生容量も対称形になるので良い電気特性が得られる。対称形としては、左右対称形でもよいし、１８０度の回転対称形でもよい。
【００６９】
（３）変形例３：第１の実施例から第３の実施例において、積層体の側面に形成された凹部に側面電極を形成しているが、積層体の側面に凹部を形成せずに側面電極を形成してもよい。
【００７０】
第１の実施例から第３の実施例における極値は例示であり、フィルタ回路を構成するコイル素子のインダクタンスの値、あるいは容量素子の容量の値により、低い周波数または高い周波数へと変わり、さらに、電気特性（減衰特性）も変わり得る。
【００７１】
以上、いくつかの実施例に基づいて本発明の実施の形態について説明してきたが、上記した発明の実施の形態は、本発明の理解を容易にするためのものであり、本発明を限定するものではない。本発明は、その趣旨並びに特許請求の範囲を逸脱することなく、変更、改良され得るとともに、本発明にはその等価物が含まれることはもちろんである。
【図面の簡単な説明】
【００７２】
【図１】第１の実施例に係るノッチフィルタの外観を模式的に示す説明図。
【図２】第１の実施例に係るノッチフィルタを構成する絶縁基板を展開して示す斜視図。
【図３】第１の実施例に係るノッチフィルタの等価回路を示す説明図。
【図４】従来のノッチフィルタを構成する絶縁基板を展開して示す斜視図。
【図５】第１の実施例に係るノッチフィルタの電気特性を示すグラフ。
【図６】従来のノッチフィルタの電気特性を示すグラフ。
【図７】第２の実施例に係るノッチフィルタを構成する絶縁基板を展開して示す斜視図。
【図８】第２の実施例に係るノッチフィルタの電気特性を示すグラフ。
【図９】第３の実施例に係るローパスフィルタを構成する絶縁基板を展開して示す斜視図。
【図１０】第３の実施例に係るローパスフィルタの等価回路を示す説明図。
【図１１】第３の実施例に係るローパスフィルタの電気特性を示すグラフ。
【符号の説明】
【００７３】
１００...第１の実施例に係るノッチフィルタ
１０１...入力端子
１０２...出力端子
１０３...第１の電極パターン
１０４...第２の電極パターン
１０５...第３の電極パターン
１０６...第４の電極パターン
１０７...ビアホール
１０８...スルーホール配線
１０９...ビアホール
１１０...スルーホール配線
１１１...ビアホール
１１２...ビアホール
１１３...第５の電極パターン
１１３ａ...第５の電極パターンの一部
１１３ｂ...第５の電極パターンの一部
１１４...第６の電極パターン
１１５...第７の電極パターン
１１６...第８の電極パターン
１１６ａ...第８の電極パターンの一部
１１６ｂ...第８の電極パターンの一部
１１７...スルーホール配線
１１８...スルーホール配線
１１９...切り欠き部
１２０...ビアホール
１２１...ビアホール
１２２...ビアホール
１２３...第９の電極パターン
１２３ａ...第９の電極パターンの一部
１２３ｂ...第９の電極パターンの一部
１２４...第１０の電極パターン
１２５...切り欠き部
１２６...スルーホール配線
１００ａ〜１００ｈ...側面電極
２００...第２の実施例に係るノッチフィルタ
２０５...第３の電極パターン
２０６...第４の電極パターン
２１３...第５の電極パターン
２１６...第８の電極パターン  
２１９...切り欠き部
２２３...第９の電極パターン
２２４...第１０の電極パターン
２２５...切り欠き部
２００ａ〜２００ｈ...側面電極
３００...第３の実施例に係るノッチフィルタ
３３０...第１１の電極パターン
３３１...第１２の電極パターン
３００ａ〜３００ｈ...側面電極
６００...従来のローパスフィルタ
６０５...第３の電極パターン
６０６...第４の電極パターン
６１３...第５の電極パターン
６１６...第８の電極パターン
６１９...切り欠き部
６２３...第９の電極パターン
６２５...切り欠き部
６００ａ〜６００ｈ...側面電極
Ｍ１〜Ｍ８...絶縁基板
Ｎ１〜Ｎ８...絶縁基板
Ｐ１〜Ｐ８...絶縁基板
Ｑ１〜Ｑ８...絶縁基板
Ｃ１〜Ｃ５...容量素子
Ｃ４ａ、Ｃ４ｂ...容量素子
Ｌ１、Ｌ２...コイル素子
【図１】
2007250941.tif 000003
【図２】
2007250941.tif 000004
【図３】
2007250941.tif 000005
【図４】
2007250941.tif 000006
【図５】
2007250941.tif 000007
【図６】
2007250941.tif 000008
【図７】
2007250941.tif 000009
【図８】
2007250941.tif 000010
【図９】
2007250941.tif 000011
【図１０】
2007250941.tif 000012
【図１１】
2007250941.tif 000013